(57)【特許請求の範囲】
【請求項１】
キャビネットの庫内に上下に並べて収納した商品を販売指令に基づき最下位から順に下方に搬出する商品収納ラックと，運転モードに合わせて庫内に冷却もしくは加熱した空気を循環送風して商品を冷却ないし加熱するファン付きの冷却／加熱ユニットと、該冷却／加熱ユニットの風胴に連ねて庫内の背面に位置し、前面壁に吸い込み口を有するダクトと、該ダクトの上方に冷却もしくは加熱した空気の循環流の流動を阻止する遮蔽部材と、ダクトの下部から上部に延在し、前記遮蔽部材に当接することにより前記遮蔽部材を上方へ開放させるとともに、前記遮蔽部材と離間することにより前記遮蔽部材を水平方向に閉塞させる操作棒とを具備する自動販売機において、前記操作棒を上下移動させることにより、前記遮蔽部材が可動自在であることを特徴とする自動販売機。
【請求項２】
前記遮蔽部材が多段階に開閉することを特徴とする請求項１記載の自動販売機。
【請求項３】
前記遮蔽部材が連続的に開閉することを特徴とする請求項１記載の自動販売機。
【発明の詳細な説明】
【技術分野】
【０００１】
本発明は、缶、ビン、パック、ペットボトルなどの容器に入れた飲料などの商品を冷却、加熱して販売に供する自動販売機に関するものである。
【背景技術】
【０００２】
地球の温暖化、二酸化炭素の排出削減問題で自動販売機の省エネルギーが強く要求されている。省エネルギーを実施する上では、自動販売機の断熱構造を強化すること、庫内の必要な商品だけを部分的に冷却、加熱することなどが有用である。庫内の必要な商品だけを部分的に冷却、加熱するには、庫内の背面に短い背面ダクトを設けることが周知の技術であり、そのなかで、上面に開口部を有する背面ダクトの上部に風路遮蔽板を設けて部分冷却もしくは部分加熱の効率を上げることも知られている（例えば、特許文献１）。
【０００３】
特許文献１に記載された自動販売機は、図１３で示されるように、商品収納装置１を収納する自動販売機の本体２の下部に冷却／加熱装置３とファン４を設け、背面に上部を開口したリターンダクト５と、そのリターンダクト５の上方に閉口６ａ，６ｂを有する断面コの字状の風路遮蔽板６を設けている。この構成によれば、図中矢印で示すように商品収納庫１内の空気の循環流が商品収納装置１の後方上部よりリターンダクト５に流入する経路を遮断して、より効率よく必要量のみ商品を冷却または加熱することができるというものである。
【先行技術文献】
【特許文献】
【０００４】
【特許文献１】特開２０００−１８２１３３号公報
【発明の概要】
【発明が解決しようとする課題】
【０００５】
この種の自動販売機では、庫内の冷却・加熱領域が下部に固定されているため、販売頻度が多い場合には、上部域に保存され冷却もしくは加熱が不十分な商品を販売する可能性がある。また、リターンダクトの開口部を上方に移動させて冷却・加熱領域をさらに上部にまで設定をすると、販売頻度が少ない場合には、長時間販売されない商品まで冷却もしくは加熱をするために外部からの進入熱を助長することになり、消費電力が増加するという問題点がある。そこで、リターンダクトの開口部を上下方向に沿って複数設け、適宜、その開口部を開閉して冷却・加熱領域を調整することが考えられるが、それでは、リターンダクトの開口部開閉機構が複雑となり、コスト高を招来させることになる。
【０００６】
そこで、本発明は上記の点に鑑みなされたものであり、簡単な構造で冷却・加熱領域を適正に調整をして、販売頻度に対応して消費電力を低減させる自動販売機を提供することを目的とする。
【課題を解決するための手段】
【０００７】
本発明の請求項１に係る自動販売機は、キャビネットの庫内に上下に並べて収納した商品を販売指令に基づき最下位から順に下方に搬出する商品収納ラックと，運転モードに合わせて庫内に冷却もしくは加熱した空気を循環送風して商品を冷却ないし加熱するファン付きの冷却／加熱ユニットと、該冷却／加熱ユニットの風胴に連ねて庫内の背面に位置し、前面壁に吸い込み口を有するダクトと、該ダクトの上方に冷却もしくは加熱した空気の循環流の流動を阻止する遮蔽部材と、ダクトの下部から上部に延在し、前記遮蔽部材に当接することにより前記遮蔽部材を上方へ開放させるとともに、前記遮蔽部材と離間することにより前記遮蔽部材を水平方向に閉塞させる操作棒とを具備する自動販売機において、前記操作棒を上下移動させることにより、前記遮蔽部材が可動自在であることを特徴とする。
【０００８】
本発明の請求項２に係る自動販売機は、請求項１記載の自動販売機において、前記遮蔽部材が多段階に開閉することを特徴とする。
本発明の請求項３に係る自動販売機は、請求項１記載の自動販売機において、前記遮蔽部材が連続的に開閉することを特徴とする。
【発明の効果】
【０００９】
本発明の請求項１に係る自動販売機によれば、前記ダクトの上部に冷却もしくは加熱した空気の循環流の流動を阻止する遮蔽部材と、前記遮蔽部材に当接することにより前記遮蔽部材を上方へ開放させるとともに、前記遮蔽部材と離間することにより前記遮蔽部材を水平方向に閉塞させる操作棒とを設け、ダクトの下部から上部に延在した操作棒の上下移動により、前記遮蔽部材を可動自在とすることにより、販売頻度が少ない時には庫内上部からの空気の流れを遮断する態様に遮蔽部材を位置させることができるので、庫内の冷却・加熱領域が狭くなる結果、外部からの侵入熱を低減して消費電力が低減する。また、販売頻度が多い時には庫内上部からの空気の循環流をダクト側に流入させる態様に遮蔽部材を位置させることができるので、冷却・加熱領域が広がり販売チャンスを逃すことがない。
【００１０】
本発明の請求項２に係る自動販売機によれば、きめ細かく対応できる。
本発明の請求項３に係る自動販売機によれば、さらにきめ細かく対応できる。
【図面の簡単な説明】
【００１１】
【図１】本発明の実施例１に係る自動販売機を示す斜視図。
【図２】図１に示した自動販売機の断面図。
【図３】図１に示した自動販売機の背面ダクトの斜視図。
【図４】図１に示した自動販売機の遮蔽部材を駆動する装置の概略図であり、（ａ）は側面図、（ｂ）正面図。
【図５】本発明の実施例１に係る自動販売機の制御ブロック図。
【図６】本発明の実施例１に係る自動販売機の要部フローチャート。
【図７】図３に示した背面ダクトの動作図であり、（ａ）は遮蔽板閉鎖時の動作図、（ｂ）は遮蔽板開放時の動作図。
【図８】本発明の実施例２に係る自動販売機背面ダクトの上部斜視図。
【図９】本発明の実施例３に係る自動販売機背面ダクトの上部斜視図。
【図１０】図９に示した背面ダクトの動作図であり、（ａ）は上部遮蔽板閉鎖時および下部遮蔽板開放時の動作図、（ｂ）は上部遮蔽板開放時で下部遮蔽板閉鎖時の動作図、（ｃ）は上部遮蔽板および下部遮蔽板開放時の動作図。
【図１１】本発明の実施例４に係る自動販売機背面ダクトの上部斜視図。
【図１２】図１１に示した背面ダクトの動作図であり、（ａ）は上部遮蔽板閉鎖時および下部遮蔽板開放時の動作図、（ｂ）は上部遮蔽板および下部遮蔽板閉鎖時の動作図、（ｃ）は上部遮蔽板および下部遮蔽板開放時の動作図。
【図１３】従来技術の自動販売機の断面図。
【発明を実施するための形態】
【００１２】
（実施例１）
以下に添付図面を参照して、本発明に係る好適な実施の形態を詳細に説明する。実施例１は、図１−７を参照しつつ説明をする。なお、これらの実施の形態によりこの発明が限定されるものではない。
【００１３】
図１に示す本発明の実施例１に係る自動販売機を示す斜視図および図２に示す自動販売機の断面図において、自動販売機は、前面が開口した直方状の断熱体として形成された本体キャビネット１０と、その前面に設けられた外扉２０および内扉３０と、本体キャビネット１０の内部を上下２段に底板１１にて区画形成し、上部を例えば２つの断熱仕切板４０ｗによって仕切られた３つの独立した商品収納庫４０ａ、４０ｂ、４０ｃと、下部に商品収納庫４０ａ、４０ｂ、４０ｃを冷却もしくは加熱する冷却／加熱ユニット６０を収納する機械室５０と、外扉２０の内側に配設され、商品収納庫４０ａ、４０ｂ、４０ｃ内の温度センサＴａ、Ｔｂ、Ｔｃにより自動販売機の冷却、加熱運転などを制御する制御手段９０と、を有して構成されている。
【００１４】
より詳細に説明すると、外扉２０は、本体キャビネット１０の前面開口を開閉するためのものであり、図には明示していないが、この外扉２０の前面には、販売する商品の見本を展示する商品展示室、販売する商品を選択するための選択ボタン、貨幣を投入するための貨幣投入口、払い出された商品を取り出すための商品取出口２１等々、商品の販売に必要となる構成が配置してある。
【００１５】
内扉３０は、商品収納庫４０ａ、４０ｂ、４０ｃの前面を開閉し、内部の商品を保温するものであり、上下２段に分割され内部に断熱体を有する箱型形状の構造体である。上側の内扉３０ａは、一端を外扉２０に軸支し、他端を外扉２０に係着して、外扉２０の開放と同時に上側の内扉３０ａを開放させて、商品の補充を容易にするものである。下側の内扉３０ｂは、一端を本体キャビネット１０に軸支し、他端を本体キャビネット１０に不図示の掛金にて掛着して、外扉２０を開放したときには、閉止した状態であり、商品収納庫４０ａ、４０ｂ、４０ｃ内の冷却もしくは加熱した空気が流出することを防ぎ、メンテナンス時など必要に応じて開放できるものである。
【００１６】
商品収納庫４０ａ、４０ｂ、４０ｃは、缶入り飲料やペットボトル入り飲料等の商品を所望の温度に維持した状態で収容するためのものであり、その収納庫の容量は商品収納庫４０ｃ、４０ａ、４０ｂの順番に大きな態様で配分されている。本実施例１は、商品収納庫４０ｃを冷却専用とし、商品収納庫４０ａ、４０ｂを冷却加熱兼用としている。その商品収納庫４０ａ、４０ｂ、４０ｃには、それぞれ、商品を上下方向に沿って並ぶ態様で収納し、販売信号により1個ずつ商品を排出するための商品搬出機構を備えた商品収納ラックＲ、排出された商品Ｓを内扉３０ｂに取設された搬出扉３１を介して外扉の販売口２１へ搬出する商品搬出シュート４２を有している。
【００１７】
冷却／加熱ユニット６０は、圧縮機６１、凝縮器６２、膨張弁６３、６４、庫外熱交換器７６、アキュムレータ６９、底板１１を跨いで庫内の庫内熱交換器６５ａ、６５ｂ、６５ｃとを冷媒配管で連結する冷媒循環回路と庫内に設置した加熱ヒータ６６ｈ、６６ｈを有して構成されている。庫内熱交換器６５ａ、６５ｂ、６５ｃの後方の取設したファン６５ｆ、６５ｆ、６５ｆの送風により冷却もしくは加熱が行われる。
【００１８】
冷媒循環回路は、冷媒を圧縮機６１にて圧縮し、その圧縮した冷媒を凝縮器６２にて凝縮し、膨張弁６３にて断熱膨張させて、庫内熱交換器６５ａ、６５ｂ、６５ｃに送り、庫内熱交換器６５ａ、６５ｂ、６５ｃにて蒸発して庫内を冷却したのち、アキュムレータ６９を経由して圧縮機６１に戻す冷却回路と、冷媒を圧縮機６１にて圧縮し、その圧縮した冷媒を庫内熱交換器６５ａ、６５ｂに送り凝縮させて庫内を加熱し、さらに庫外熱交換器７６で凝縮し、膨張弁６４にて断熱膨張させて、庫内熱交換器６５ｃにて蒸発して庫内を冷却したのち、アキュムレータ６９を経由して圧縮機６１に戻す冷却加熱（ヒートポンプ）回路が形成されている。なお、庫内熱交換器６５ａ、６５ｂのうち一方のみが加熱に使用される時は、他方は庫内熱交換器６５ｃと同様に冷媒を蒸発して冷却に使用される。
【００１９】
圧縮機６１は、ヒートポンプ運転が可能な高圧の圧縮ができる圧縮機が使用されている。
凝縮器６２の後部にはファン６２ｆが取設され、ファン６２ｆは機械室５０の前面開口部（図２中左側）より空気を吸入し、凝縮器６２による凝縮熱を吸入するとともに、圧縮機６１の排熱を吸収して、機械室５０の背面開口部（図２中右側）へ排気する。
【００２０】
アキュムレータ６９は、庫内熱交換器６５ａ、６５ｂ、６５ｃから蒸発された冷媒を流入し、気液分離させて液冷媒を貯留し、気体冷媒を圧縮機６１に戻すための密閉した容器である。
【００２１】
加熱ヒータ６６ｈ、６６ｈは、庫内熱交換器６５ａ、６５ｂの前方に取設され、ヒートポンプ運転で冷却側の庫内が適温に冷却されたときに庫内熱交換器６５ａ、６５ｂを使用せずに冷媒回路の運転を停止し、商品収納庫４０ａ、４０ｂを加熱するためのものである。
【００２２】
庫内熱交換器６５ａ、６５ｂ、６５ｃは商品収納庫４０ａ、４０ｂ、４０ｃの下部に取設され、その後方にファン６５ｆが取設されている。庫内熱交換器６５ａ、６５ｂ、６５ｃ、加熱ヒータ６６ｈ、６６ｈ、ファン６５ｆは、風胴７７ａ、７７ｂ、７７ｃで囲繞され、風胴７７ａ、７７ｂ、７７ｃの前方は庫内側に開口されており、後方は背面ダクト７０ａ、７０ｂ、７０ｃと連通して取設されている。背面ダクト７０ａ、７０ｂ、７０ｃの上部には、可動遮蔽板８１ａ，８１ｂ，８１ｃが取設され、可動遮蔽板８１ａ，８１ｂ，８１ｃを可動させる遮蔽板可動装置８０，８０，８０がその一部を背面ダクト７０ａ、７０ｂ、７０ｃの内部を経由して取設されている。
【００２３】
背面ダクト７０ａ、７０ｂ、７０ｃは、断面コの字状の板状部材よりなる本体７１ａ、７１ｂ、７１ｃにて構成され、キャビネット１０の背面上に布設されており、その上部近傍の前面壁に吸い込み口７２ａ、７２ｂ、７２ｃと、下部に風胴７７ａ、７７ｂ、７７ｃに連なる吹き出し口７３ａ，７３ｂ，７３ｃを有している。そして、背面ダクト７０ａ、７０ｂ、７０ｃ、風胴７７ａ、７７ｂ、７７ｃにて通風路が形成され、ファン６５ｆにより庫内熱交換器６５ａ、６５ｂ、６５ｃ、加熱ヒータ６６ｈ、６６ｈにて冷却もしくは加熱された空気を風胴７７ａ、７７ｂ、７７ｃより商品収納庫内の商品Ｓに送風し、図２中の矢印Ａで示すように背面ダクト７０ａ、７０ｂ、７０ｃより回収することで商品収納庫内の冷却もしくは加熱が行われる。なお、背面ダクト７０ａ、７０ｂ、７０ｃの上面は、後述する操作棒８４を通過させる孔７１ａ、７１ｂ、７１ｃが穿孔されている。
【００２４】
遮蔽板可動装置８０は、可動遮蔽板８１ａ，８１ｂ，８１ｃを駆動させるためのものである。商品収容庫４０ａ、４０，４０ｃに設置している遮蔽板可動装置８０は、幅寸法の相違する商品収容庫４０ａ、４０，４０ｃによりそれぞれ取設され、その構造は実質的に同一であるので、以下の説明では、可動遮蔽板の符号８１ａ，８１ｂ，８１ｃを８１、背面ダクト７０ａ、７０ｂ、７０ｃを７０などと庫内収納庫を識別するａ、ｂ、ｃを略した符号を用いて説明をする。
【００２５】
遮蔽板可動装置８０は、図３，４に示すように可動遮蔽板８１の両端を支持する支持板８２，８２と、可動遮蔽板８１を駆動させる操作棒８４と、操作棒８４を電動で駆動させる駆動モータ８６、操作棒８４の原点位置を検出する位置決めセンサ８７、操作棒８４を手動で駆動させるノブ８８を有して構成されている。
【００２６】
可動遮蔽板８１は、鋼板部材であり、根元部には、ピン８２ｐ、ピン８２ｐにて回動自在に軸支されている。可動遮蔽板８１の回動する先端は、水平位置にあるときはラックRの端面の近傍まで位置し、このとき図2中の矢印Ｂで示す流れが阻止される。
【００２７】
支持板８２，８２は、本体７１の側板の後部より上方に延設された薄板板金であり、その先端側には、可動遮蔽板８１の両端を軸支するピン８２ｐが挿入されている。そのピン８２ｐ、８２ｐには可動遮蔽板８１の自由端側が手前側（図中左側）から見て上から下に回動する方向に付勢する態様でスプリング８２ｓ、８２ｓが巻着され、可動遮蔽板８１が水平方向に係止される位置にストッパー８３、８３が支持板８２，８２に固着されている。
【００２８】
操作棒８４は、断面矩形状の板状部材であり、上部はやや傾斜する態様で形成された爪部８４ｈ、下部の側面にはラック８４ｒが取設されている。操作棒８４の中央部には、正面に原点を検出するマーカー８４ｍ、側面方向に延設してスライダーピン８４ｓ、ノブ８８が取設されている。また、操作棒８４は上下方向に移動自在となる態様で上下のガイド（不図示）にて支持されている。
【００２９】
駆動モータ８６は、操作棒８４を上下方向に移動させ、遮蔽板８１を開閉させるものであり、減速ギア８６ｇ、モータ本体８６ｍにより構成され、減速ギア８６ｇのシャフトの先端にはラック８４ｒと噛み合うピニオン８６ｐが取設されている。
【００３０】
位置決めセンサ８７は、操作棒８４の原点を求めるためのものであり、駆動モータ８６の上部に取設されている。
ノブ８８は、円柱形状のピンであり、駆動モータ８６を不通電状態としたときに、手動で操作棒８４を駆動させるためのものである。
【００３１】
制御部９０は、内部にＣＰＵ，メモリを有し、駆動モータ８６を制御するモータ制御部９０ｍを組み込んでいる。モータ制御部９０ｍは、図５の制御回路の要部ブロック図を示すように、可動遮蔽板モードＳＷ９１、遮蔽板駆動ＳＷ９２、遮蔽板温度設定ＳＷ９３、販売カウンタ９４、温度センサＴａ，Ｔｂ，Ｔｃ、位置決めセンサ８７の信号を入力として、可動遮蔽板８１を駆動させるモータ８６を制御する。
【００３２】
可動遮蔽板モードＳＷ９１は、可動遮蔽板８１を手動にて操作をさせる手動操作モード、庫内の目標温度を設定して、温度センサＴより検出される温度がその目標値になるように可動遮蔽板８１を操作する手動命令モード、販売の頻度に従って温度センサＴの目標値を設定して、その目標値になるように可動遮蔽板８１を操作する自動制御モードの三モードを切り替えるスイッチ（ＳＷ）である。
【００３３】
遮蔽板駆動ＳＷ９２は、手動操作モードにより駆動モータ８６を正逆回転させ、操作棒８４を上下駆動させることにより可動遮蔽板８１の傾斜を操作・設定するものである。
温度設定ＳＷ９３は、手動命令モードにより可動遮蔽板８１の位置を適正に制御するための温度センサＴａ，Ｔｂ，Ｔｃの目標値を入力するためのテンキースイッチである。
【００３４】
販売カウンタ９４は、自動制御モードにより使用され、各庫内に収容された商品の販売をカウントするものである。カウントされた販売数は、制御装置９０により時間ごと積算され、所定のメモリに販売頻度として記憶される。
【００３５】
温度センサＴａ，Ｔｂ，Ｔｃは、庫内下部の風胴７７ａ，７７ｂ，７７ｃの上面に取設され、庫内温度を検出するものである。
かかる構成で、自動販売機を始動すると制御が開始すると、可動遮蔽板８１を設定することができる。すなわち、図６の要部フローチャートに示すように位置決めセンサ８７にて原点の信号が得られるまで、駆動モータ８６が正逆回転を行い零点に位置合わせを行う（ステップＳ１）。つぎに、可動遮蔽板モードＳＷ９１を手動操作モードにセットすると（ステップＳ２分岐１）、遮蔽板駆動ＳＷ９２を操作する（ステップＳ１１）ことにより、可動遮蔽板８１が所望の角度となるように操作棒８４を駆動させる（ステップＳ１２）。具体的には、販売頻度が少ない場合には、図７（ａ）に示すように可動遮蔽板８１を水平位置の状態とし、販売頻度が多い場合には、図７（ｂ）に示すように可動遮蔽板８１を上方に向いた角度に設定をする。なお、図７中の一点鎖線は、ラックＲの端面を示している。
【００３６】
図７（ａ）に示すように可動遮蔽板８１を水平位置の状態の場合には、図中の矢印Ｂで示されるよう上部からの流入が阻止され、図中の矢印Ａで示されるようにダクト入口７１近傍を中心に流れるので、庫内の冷却・加熱領域が狭くなる結果、外部からの侵入熱を低減して消費電力を低減させることができる。また、販売頻度が多い時には、図７（ｂ）に示すように、庫内上部からの空気の流れ（図中の矢印Ｂ）およびダクト入口７１の近傍よりの流れ（図中の矢印Ａ）を発生させることができるので、冷却・加熱領域を広げることができる結果、冷却もしくは加熱不十分な商品が低減されて販売チャンスを逃すことがない。
【００３７】
なお、この操作は、駆動モータ８６の電源を切断し、ノブ８８を上下に移動操作することにより手動にて行うこともできる。
また、ステップＳ２において可動遮蔽板モードＳＷ９１を手動命令モードにセットすると（ステップＳ２分岐２）、温度設定ＳＷ９３により所望の目標温度の設定を行う（ステップＳ２１）。次に、定時間ごとに温度センサＴにより庫内温度を検出して可動遮蔽板８１の開閉調整を行う（ステップＳ２２）。具体的には、冷却運転の場合に検出した庫内温度が目標温度より低い温度の場合には（加熱運転の場合には高い温度）、冷却・加熱領域が狭すぎる運転を行っているので、操作棒８１を上昇させて可動遮蔽板８１の開閉の角度を広げるようにする。また、冷却運転の場合に検出した庫内温度が目標温度より高い温度の場合には（加熱運転の場合には低い温度）、冷却・加熱領域が広すぎる運転を行っているので、操作棒８１を下降させて可動遮蔽板８１の開閉の角度を狭めるようにする。
【００３８】
また、ステップＳ２において可動遮蔽板モードＳＷ９１を自動制御モードにセットすると（ステップＳ２分岐３）、制御装置９０は、販売頻度情報を販売カウンタ９４より入手した販売頻度を記憶したメモリを参照して（ステップＳ３１）、販売頻度により各庫内の目標温度を設定する（ステップＳ３２）。具体的には、販売頻度が高い場合には、目標温度を低めに設定し（加熱運転の場合は、高めに設定し）、販売頻度が低い場合には、目標温度を高めに設定する（加熱運転の場合は、低めに設定する）。そして、Ｓ２１と同様に、定時間ごとに温度センサＴを検出して可動遮蔽板８１の開閉調整を行う（ステップＳ３３）。
【００３９】
発明者らの試験では、可動遮蔽板８１の開閉角度を大きくすることにより、商品ラックに搭載された商品の下から5番目の商品温度の平均値が上昇することを確認した。
前述のように、販売頻度が少ない時には庫内上部からの空気の流れを遮断する態様に遮蔽部材８１を位置させることにより、庫内の冷却・加熱領域が狭くなるので、外部からの侵入熱が低減して消費電力を低減させることができる。また、販売頻度が多い時には庫内上部からの空気の流れをダクト側に流入する態様に遮蔽部材８１を位置させることにより、冷却・加熱領域を広げることができるので、販売チャンスを逃すことを防止することができる。
【００４０】
遮蔽部材８１の開閉角度を段階的もしくは連続的に変えることにより、庫内の冷却・加熱領域を段階的もしくは連続的に変えることができるので、上記の効果をよりきめ細かく行うことができる。
【００４１】
（実施例２）
本発明の実施例２に係る自動販売機について説明する。実施例１と相違する点は、遮蔽板８１が水平状態を保持しながら垂直方向に移動させるように支持板２８２，ガイド孔２８２ｇを設けている。その説明を図８の斜視図を用いて詳述し、その他は実施例１と実質的に同一であるので、同一部の説明は省略する。
【００４２】
遮蔽板８１は、その中央後部にて操作棒８４と固定されており、その側面両端にはピン８２ｐ、８２ｐが挿入されている。支持板２８２，２８２はダクト本体７１の側面より立設する態様で延設され、その後部には前記ピン８２ｐ、８２ｐと係合して垂直方向にガイド溝２８２ｇ、２８２ｇが形成されている。ガイド溝２８２ｇ、２８２ｇは、操作棒８４を垂直方向に駆動操作することにより、前記ピン８２ｐ、８２ｐのガイドとして遮蔽板８１は水平状態で垂直方向に移動させるためのものである。
【００４３】
かかる構成で、販売頻度が少ない時には操作棒８４を下方に操作することにより、遮蔽板８１を低い位置に移動をすることにより、庫内上部からの空気の流れを遮断することができるので、庫内の冷却・加熱領域が狭くなる結果、外部からの侵入熱を低減して消費電力を低減させることができる。また、販売頻度が多い時には庫内上部からの空気の流れをダクト側に流入する態様に遮蔽部材を位置させることができるので、冷却・加熱領域を広げ販売チャンスを逃すことがない。
【００４４】
（実施例３）
本発明の実施例３に係る自動販売機について説明する。実施例１と相違する点は、遮蔽板８１と背面ダクト７０との中間に第２の遮蔽板３８１が支持板３８２に軸支され、その第２の遮蔽板３８１を操作する第２操作棒３８４が操作棒８４の側面側に延設されている点である。その説明を図９の斜視図および図１０の動作図を用いて詳述し、その他は実施例１と実質的に同一であるので、同一部の説明は省略する。
【００４５】
第２の遮蔽板３８１は、図９に示すように遮蔽板８１と同様に板状部材であり、その両側端の奥側はピン８２ｐ、８２ｐで軸支され、前方（図中左方）から見て前端を下方に回動する態様で付勢するスプリング８２ｓ、８２ｓがピン８２ｐ、８２ｐに巻着されている。なお、上部に位置する遮蔽板８１と異なり水平位置で係り止めするストッパー８３，８３による係止手段は有していないので、第２の遮蔽板３８１は操作棒３８４と当接しないときは、その前端を下方に向いた状態で位置している。また、第２の遮蔽板３８１には、操作棒８４との干渉を防ぐための貫通させる孔３８１ｃが形成されている。
【００４６】
第２操作棒３８４は、第２の遮蔽板３８１を回動させるためのもので、操作棒８４の側面より水平に延設され、その後垂直上方に延設された部材である。第２操作棒３８４は、第２の遮蔽板３８１と当接することにより第２の遮蔽板３８１の先端を下方、水平、上方にと回動させることができる。
【００４７】
かかる構成で、操作棒８４を低位置に設定するときは、図１０（ａ）に示すように、操作棒８４、第２操作棒３８４がそれぞれ遮蔽板８１、第２の遮蔽板３８１に当接していないので、遮蔽板８１が水平状態にあり、第２の遮蔽板３８１は下向きにある。この結果、図中の矢印Ｂで示すように庫内の上方からの流れが遮蔽板８１にて遮断され、庫内の中部、下部からの流れが図中の矢印Ａで示すように背面ダクト７０内に流入をするので、冷却・加熱領域を中領域に設定ができる。
【００４８】
操作棒８４を中位置に設定するときは、図１０（ｂ）に示すように、操作棒８４、第２操作棒３８４がそれぞれ遮蔽板８１、第２の遮蔽板３８１に当接して、遮蔽板８１が上向き状態となり、第２の遮蔽板３８１は水平状態となるので、図中の矢印Ｂで示すように庫内の上方からの流れが第２の遮蔽板３８１により遮断され、下部のみからの流れが図中の矢印Ａで示すように背面ダクト７０内に流入をするので、冷却・加熱領域を小領域に設定ができる。
【００４９】
操作棒８４を高位置に設定するときは、図１０（ｃ）に示すように、操作棒８４、第２操作棒３８４がそれぞれ遮蔽板８１、第２の遮蔽板３８１に当接して、遮蔽板８１、第２の遮蔽板３８１は上向き状態となるので、図中の矢印Ｂで示すように庫内の上方からの流れは遮断されず、上方、中段、下方からの流れが図中の矢印Ａで示すように背面ダクト７０内に流入をするので、冷却・加熱領域を大領域に設定ができる。
【００５０】
（実施例４）
本発明の実施例４に係る自動販売機について説明する。実施例１と相違する点は、背面ダクト７０の奥行き寸法が半分であり、遮蔽板８１が背面ダクト７０の前面側の設けられた前面側遮蔽板４８１と天板側に設けられた天板側遮蔽板５８１に分割されて支持板４８２に軸支されている点である。また、天板側遮蔽板５８１は背面ダクト７０の天板側開口部を開閉する点である。その説明を図１１の斜視図、図１２の動作図を用いて詳述し、その他は実施例１と実質的に同一であるので、同一部の説明を省略する。
【００５１】
支柱板４８２はダクト本体７１の側板より延設して設けられ、中段より手前側に延在するフランジ４８２ｆと上端より上方に延在するフランジ４８２ｕが形成されている。また、両支柱板４８２の間にはダクト本体７０の正面に延設して正面板４８３が設けられ、両支柱板４８２と正面板４８３とで背面ダクト７０の通路を延長する態様でダクト空間が形成されている。
【００５２】
前面側遮蔽板４８１は、板状部材であり、図９に示す遮蔽板３８１と同様にその両側端の奥側はピン８２ｐ、８２ｐで軸支され、前方（図中左方）から見て前端を下方に回動する態様で付勢するスプリング８２ｓ、８２ｓがピン８２ｐ、８２ｐに巻着されている。また、前面側遮蔽板４８１は第２操作棒４８４と当接しないときは、その前端を下方に向いた状態で位置している。
【００５３】
天板側遮蔽板５８１は、板状部材であり、ダクト空間を閉止する態様でスプリング８２ｓ、８２ｓにて付勢されている。また、支柱板４８２、４８２の内側にはストッパー８３，８３が固着され、天板側遮蔽板５８１が水平位置で係止されている。天板側遮蔽板５８１は、操作棒８４と当接することにより、先端が上方に回動して、庫内の上部の空間とダクト７０の上端口を連通する。
【００５４】
第２操作棒４８４は、第２の遮蔽板４８１を回動させるためのもので、操作棒８４の側面より水平に延設され、その後垂直上方に延設された部材である。
かかる構成で、操作棒８４を低位置に設定するときは、図１２（ａ）に示すように、操作棒８４、第２操作棒４８４がそれぞれ前面側遮蔽板４８１、天板側遮蔽板５８１に当接しないので、天板側遮蔽板５８１が水平状態にあり、前面側遮蔽板４８１は下向きにある。その結果、図中の矢印Ｂで示すように背面に沿った上方からの流れが天板側遮蔽板５８１にて遮断され、ラックの端面と天板側遮蔽板５８１との間を流れて図中の矢印Ａで示すように開口部７１ａに流入をするので、冷却・加熱領域を中領域に設定ができる。
【００５５】
操作棒８４を中位置に設定するときは、図１２（ｂ）に示すように、操作棒８４は天板側遮蔽板５８１と当接せず天板側遮蔽板５８１を水平状態にあり、第２操作棒４８４が前面側遮蔽板４８１に当接して、前面側遮蔽板４８１を水平状態にする。その結果、図中の矢印Ｂで示すように庫内の上方からの流れが天板側遮蔽板５８１および前面側遮蔽板４８１にて遮断されるので、下部のみからの流れが図中の矢印Ａで示すように背面ダクト７０内に流入をするので、冷却・加熱領域を小領域に設定ができる。
【００５６】
操作棒８４を高位置に設定するときは、図１２（ｃ）に示すように、操作棒８４、第２操作棒４８４がそれぞれ天板側遮蔽板５８１、前面側遮蔽板４８１に当接して、天板側遮蔽板５８１、前面側遮蔽板４８１は上向き状態とする。その結果、図中の矢印Ｂで示すように背面に沿う流れは、背面ダクト７０の上部開口部よりダクト内部に流れ、それよりも手前側の流れも背面ダクト７０内に流入をするので、下方からの流れが図中の矢印Ａで示すように背面ダクト７１ａ内に流入をするので、冷却・加熱領域を大領域に設定ができる。
【００５７】
すなわち、操作棒８４を操作して、前面側遮蔽板４８１、天板側遮蔽板５８１を開閉することにより、冷却・加熱領域を制御することができる。
上述のように前記ダクトの上部に冷却もしくは加熱した空気の循環流の流動を阻止する遮蔽部材を設け、当該遮蔽部材が可動自在に設けたことにより、販売頻度が少ない時には庫内上部からの空気の流れを遮断する態様に遮蔽部材を位置させることができるので、庫内の冷却・加熱領域が狭くなる結果、外部からの侵入熱を低減して消費電力を低減させ、販売頻度が多い時には庫内上部からの空気の流れをダクト側に流入する態様に遮蔽部材を位置させることができるので、冷却・加熱領域を広げ販売チャンスを逃すことがない。
【００５８】
遮蔽部材を段階的もしくは連続的に変えることにより、庫内の冷却・加熱領域を段階的もしくは連続的に変えることができるので、上記の効果をよりきめ細かく行うことができる。
【産業上の利用可能性】
【００５９】
以上のように、本発明は、例えば断熱筐体の内部雰囲気を冷却／加熱するための自動販売機として有用である。
【符号の説明】
【００６０】
１０    本体キャビネット
２０    外扉
３０    内扉
４０ａ、４０ｂ、４０ｃ    商品収納庫
６０    冷却／加熱ユニット
６１    圧縮機
６２    凝縮器
６３    膨張弁（膨張手段）
６５ａ、６５ｂ、６５ｃ    庫内熱交換器
６６ｈ    加熱ヒータ
７０ａ７０ｂ、７０ｃ    背面ダクト
８０    遮蔽板可動装置
８１、８１ａ，８１ｂ，８１ｃ    遮蔽部材
８４    操作棒
８６    駆動モータ
３８１    第２の遮蔽板
４８１    前面側遮蔽板
５８１    天板側遮蔽板
【図５】
0005504760.tif 000002
【図６】
0005504760.tif 000003
【図７】
0005504760.tif 000004
【図８】
0005504760.tif 000005
【図９】
0005504760.tif 000006
【図１０】
0005504760.tif 000007
【図１１】
0005504760.tif 000008
【図１２】
0005504760.tif 000009
【図１】
0005504760.tif 000010
【図２】
0005504760.tif 000011
【図３】
0005504760.tif 000012
【図４】
0005504760.tif 000013
【図１３】
0005504760.tif 000014